(57)【要約】【課題】異なる高さに設置するゴンドラレールを、短時間でかつ低コストで設置できるようにした、円筒型タンクの構築方法を提供する。【解決手段】金属製の内槽とコンクリート製の外槽とを有する円筒型タンクの構築方法である。ナックルプレート９にナックルサポート１０を設ける工程、ナックルサポート１０にゴンドラレール１３を取り付ける工程、ジャッキアップ装置１９でナックルプレート９を吊り上げ、上昇したナックルプレートの下側に内槽側板７を取り付けて内槽を組み立てる工程、ナックルプレート９上に内槽屋根１４を取り付ける工程、内槽屋根１４上に外槽屋根２６を取り付ける工程、内槽を組み立てた後外槽屋根２６を外槽の側壁３に固定する工程、外槽屋根２６を固定した後ナックルサポート１０をナックルプレート９から外して吊り上げ、ゴンドラレール１３を上昇させて外槽屋根２６に取り付ける工程、を備える。【選択図】図２０
2015010360.tif 000002
【特許請求の範囲】
【請求項１】
金属製の内槽とコンクリート製の外槽とを有する円筒型タンクの構築方法であって、
前記外槽の内側にて円環状のナックル部を組み立てる工程と、
前記ナックル部にジャッキアップ装置に連結する被吊り部材を複数設ける工程と、
前記被吊り部材にゴンドラレールを取り付ける工程と、
前記外槽の側壁にジャッキアップ装置を吊るための吊り部を複数設ける工程と、
前記外槽の側壁の前記吊り部と前記ナックル部の前記被吊り部材との間にそれぞれジャッキアップ装置を取り付ける工程と、
前記複数のジャッキアップ装置によって前記ナックル部を吊り上げて上昇させ、上昇した前記ナックル部の下側に内槽側板を取り付けて金属製の内槽を組み立てる工程と、を備え、
前記金属製の内槽を組み立てる工程は、前記ナックル部上に内槽屋根を取り付ける工程と、前記内槽屋根上に外槽屋根を取り付ける工程と、を有し、
さらに、前記内槽を組み立てる工程の後、前記外槽屋根を前記外槽の側壁に固定する工程と、
前記外槽屋根を前記外槽の側壁に固定した後、前記被吊り部材を前記ナックル部から外して該被吊り部材を前記ジャッキアップ装置で吊り上げ、該被吊り部材に取り付けられた前記ゴンドラレールを上昇させて該ゴンドラレールを前記外槽屋根に取り付ける工程と、を備えることを特徴とする円筒型タンクの構築方法。
【請求項２】
前記内槽屋根上に外槽屋根を取り付ける工程では、屋根骨を組むことで前記外槽屋根を形成するとともに、前記屋根骨間に前記ジャッキアップ装置を位置させることを特徴とする請求項１記載の円筒型タンクの構築方法。
【請求項３】
前記外槽の側壁を最頂部まで形成した後に、該側壁の内周面に対して側部ライナーを貼設する工程を有することを特徴とする請求項１又は２に記載の円筒型タンクの構築方法。
【請求項４】
前記外槽の内側にて円環状のナックル部を組み立てる工程では、予め組み立てた円環状の内槽側板の上側に前記ナックル部を取り付けて組み立て、
前記金属製の内槽を組み立てる工程では、前記複数のジャッキアップ装置によって上昇させた前記ナックル部の下側の内槽側板に、次の内槽側板を取り付けることを特徴とする請求項１〜３のいずれか一項に記載の円筒型タンクの構築方法。
【請求項５】
前記ナックル部の下側に内槽側板を取り付けて金属製の内槽を組み立てる工程では、前記ナックル部の下側に一の内槽側板を取り付ける処理と前記一の内槽側板の下に他の内槽側板を取り付ける処理との間に、前記外槽の側壁の前記吊り部より上方に前記ジャッキアップ装置を吊るための第２の吊り部を設け、該第２の吊り部と前記被吊り部材との間にそれぞれジャッキアップ装置を盛り替える処理を有することを特徴とする請求項１〜４のいずれか一項に記載の円筒型タンクの構築方法。
【発明の詳細な説明】
【技術分野】
【０００１】
本発明は、円筒型タンクの構築方法に関する。
【背景技術】
【０００２】
内槽と外槽とを有する二重殻構造の円筒型タンクは、ＬＮＧ（液化天然ガス）やＬＰＧ（液化石油ガス）等の低温液体の貯蔵に用いられている。特許文献１には、金属製の内槽とコンクリート製の外槽とを有する円筒型タンクの建設工法が開示されている。
【０００３】
特許文献１には、円筒型タンクの工期の短縮化を図るため、金属製の内槽とコンクリート製の外槽とを同時に施工する手法が開示されている。具体的には、外槽の底部にジャッキ架台を立設させ、ジャッキアップ装置を所定高さに支持させる（特許文献１の図４（ｂ）参照）。そして、外槽の側壁工事を行うときに、外槽の底部上で内槽屋根と外槽屋根とを組み立て、次いで、前記ジャッキアップ装置により内槽屋根と外槽屋根とを上昇させながら内槽屋根に内槽側板を最上段のものから最下段のものへと、その順で取り付けることにより、金属製の内槽とコンクリート製の外槽との同時施工を実現している。
【先行技術文献】
【特許文献】
【０００４】
【特許文献１】特開平７−６２９２４号公報
【発明の概要】
【発明が解決しようとする課題】
【０００５】
前記従来技術では、内槽側板間の溶接線等についての検査やその補修のため、検査用スカイゴンドラ懸垂用のゴンドラレールが必要になる。また、特に前記従来技術では、外槽の側壁を形成する際に、これに並行して側部ライナーを形成し、この側部ライナーを外槽の側壁形成用の型枠として用いている。しかし、例えば外槽の側壁を形成した後に側部ライナーを貼設するライナー後貼り工法を採用しようとした場合には、ライナー懸垂用のゴンドラレールが必要になる。さらに、側部ライナーを貼設した後には、この側部ライナーに冷熱抵抗緩和材を吹き付ける必要があり、したがってこのような冷熱抵抗緩和材施工用のゴンドラレールも必要になる。
【０００６】
ところが、このような冷熱抵抗緩和材施工用のゴンドラレールと、前記した検査用スカイゴンドラ懸垂用のゴンドラレールやライナー懸垂用のゴンドラレールとは、例えば内槽屋根を上昇させる際に用いられるナックル部に対して異なる高さに位置させる必要があるため、別々に設置する必要がある。しかし、前記の各ゴンドラレールをそれぞれ別々に設けるのでは、ゴンドラレールを設置するための時間が長くなって工期の短縮化を損なうとともに、コストも高くなることからコストの低減化をも損なってしまう。
【０００７】
本発明は前記事情に鑑みてなされたもので、その目的とするところは、異なる高さに設置するゴンドラレールを、短時間でかつ低コストで設置できるようにした、円筒型タンクの構築方法を提供することにある。
【課題を解決するための手段】
【０００８】
本発明の円筒型タンクの構築方法は、金属製の内槽とコンクリート製の外槽とを有する円筒型タンクの構築方法であって、前記外槽の内側にて円環状のナックル部を組み立てる工程と、前記ナックル部にジャッキアップ装置に連結する被吊り部材を複数設ける工程と、前記被吊り部材にゴンドラレールを取り付ける工程と、前記外槽の側壁にジャッキアップ装置を吊るための吊り部を複数設ける工程と、前記外槽の側壁の前記吊り部と前記ナックル部の前記被吊り部材との間にそれぞれジャッキアップ装置を取り付ける工程と、前記複数のジャッキアップ装置によって前記ナックル部を吊り上げて上昇させ、上昇した前記ナックル部の下側に内槽側板を取り付けて金属製の内槽を組み立てる工程と、を備え、前記金属製の内槽を組み立てる工程は、前記ナックル部上に内槽屋根を取り付ける工程と、前記内槽屋根上に外槽屋根を取り付ける工程と、を有し、さらに、前記内槽を組み立てる工程の後、前記外槽屋根を前記外槽の側壁に固定する工程と、前記外槽屋根を前記外槽の側壁に固定した後、前記被吊り部材を前記ナックル部から外して該被吊り部材を前記ジャッキアップ装置で吊り上げ、該被吊り部材に取り付けられた前記ゴンドラレールを上昇させて該ゴンドラレールを前記外槽屋根に取り付ける工程と、を備えることを特徴とする。
【０００９】
また、前記円筒型タンクの構築方法において、前記内槽屋根上に外槽屋根を取り付ける工程では、屋根骨を組むことで前記外槽屋根を形成するとともに、前記屋根骨間に前記ジャッキアップ装置を位置させることが好ましい。
【００１０】
また、前記円筒型タンクの構築方法においては、前記外槽の側壁を最頂部まで形成した後に、該側壁の内周面に対して側部ライナーを貼設する工程を有することが好ましい。
【００１１】
また、前記円筒型タンクの構築方法において、前記外槽の内側にて円環状のナックル部を組み立てる工程では、予め組み立てた円環状の内槽側板の上側に前記ナックル部を取り付けて組み立て、前記金属製の内槽を組み立てる工程では、前記複数のジャッキアップ装置によって上昇させた前記ナックル部の下側の内槽側板に、次の内槽側板を取り付けることが好ましい。
【００１２】
また、前記円筒型タンクの構築方法において、前記ナックル部の下側に内槽側板を取り付けて金属製の内槽を組み立てる工程では、前記ナックル部の下側に一の内槽側板を取り付ける処理と前記一の内槽側板の下に他の内槽側板を取り付ける処理との間に、前記外槽の側壁の前記吊り部より上方に前記ジャッキアップ装置を吊るための第２の吊り部を設け、該第２の吊り部と前記被吊り部材との間にそれぞれジャッキアップ装置を盛り替える処理を有することが好ましい。
【発明の効果】
【００１３】
本発明の円筒型タンクの構築方法によれば、被吊り部材にゴンドラレールを取り付けることにより、該被吊り部材の上昇に伴ってゴンドラレールも上昇させることができる。したがって、このゴンドラレールに例えば検査用スカイゴンドラや側部ライナーを懸垂させることができる。
また、外槽屋根を外槽の側壁に固定した後、被吊り部材をナックル部から外して該被吊り部材をジャッキアップ装置で吊り上げ、該被吊り部材に取り付けられたゴンドラレールを上昇させて該ゴンドラレールを前記外槽屋根に取り付けるようにしたので、ゴンドラレールの高さを引き上げることでこれを冷熱抵抗緩和材施工用のゴンドラレールとして機能させることができる。
したがって、用途が異なり、そのため異なる高さに設置する必要があるゴンドラレールを、内槽の組み立てに用いるジャッキアップ装置によって盛り替えることにより、それぞれの高さに設置することができる。よって、このようなゴンドラレールの盛り替えを短時間でかつ低コストで行うことができるため、工期の短縮化、及びコストの低減化を可能にすることができる。
【図面の簡単な説明】
【００１４】
【図１】本発明の一実施形態における工程を説明するための側断面図である。
【図２】本発明の一実施形態における工程を説明するための側断面図である。
【図３】本発明の一実施形態における工程を説明するための側断面図である。
【図４】ナックルサポート、スペースキーパーの取り付け状態を説明するための要部側断面図である。
【図５】ナックルサポート、スペースキーパーの取り付け状態を説明するための要部平面図である。
【図６】ナックルサポート、スペースキーパーの取り付け状態を説明するための外槽屋根骨を含む屋根側の平面図である。
【図７】本発明の一実施形態における工程を説明するための側断面図である。
【図８】本発明の一実施形態における工程を説明するための側断面図である。
【図９】本発明の一実施形態における工程を説明するための要部側断面図である。
【図１０】本発明の一実施形態における工程を説明するための側断面図である。
【図１１】本発明の一実施形態における工程を説明するための側断面図である。
【図１２】本発明の一実施形態における工程を説明するための側断面図である。
【図１３】本発明の一実施形態における工程を説明するための側断面図である。
【図１４】本発明の一実施形態における工程を説明するための側断面図である。
【図１５】本発明の一実施形態における工程を説明するための側断面図である。
【図１６】本発明の一実施形態における工程を説明するための側断面図である。
【図１７】本発明の一実施形態における工程を説明するための側断面図である。
【図１８】本発明の一実施形態における工程を説明するための要部側断面図である。
【図１９】本発明の一実施形態における工程を説明するための要部側断面図である。
【図２０】本発明の一実施形態における工程を説明するための要部側断面図である。
【図２１】本発明の一実施形態における工程を説明するための側断面図である。
【発明を実施するための形態】
【００１５】
以下、図面を参照して本発明に係る円筒型タンクの構築方法の一実施形態を詳しく説明する。なお、以下の図面においては、各部材を認識可能な大きさとするため、各部材の縮尺を適宜変更している。以下の説明では、円筒型タンクとして、ＬＮＧを貯蔵する地上式のＰＣ（プレストレスコンクリート）二重殻貯槽を例示する。
【００１６】
まず、図１に示すように、略円板状の基礎版（外槽の底部）１の工事を行い、その上面に底部ライナー（図示せず）を形成する。その際、本実施形態では、基礎版１の外周縁部より内側に、基礎版１の周方向に沿って内槽アンカーストラップ２を設置する。
次に、基礎版１の外周縁部の、内槽アンカーストラップ２より外側に、外槽の側壁（ＰＣ壁）３の一部、例えば全部で９段積み上げて形成する側壁３の５段目（＃５）までを形成する。
【００１７】
なお、ここで形成する外槽の側壁（ＰＣ壁）３の一部には、その下段側、例えば２段目から３段目にかけて、工事口４を形成する。また、この側壁３の一部には、その上に残りの段の側壁を積み上げて最終的に９段からなる側壁３を形成するため、残りの段のための型枠を組み立てるなどの必要上、側壁３の一部の上部側、例えば４段目以上の部位に懸垂足場５を設置しておく。
【００１８】
このようにして外槽の側壁３の一部を形成したら、この側壁３の内周面側にその周方向に沿って、内槽側板組立用の脚付架台６を複数設置する。脚付架台６は、後述する内槽側板を支持するための門型架台である。この脚付架台６を、内槽側板が複数組み合わされて形成される円筒状の内槽が最終的に下ろされる領域となるアニュラー領域Ｘを跨ぐようにして、基礎版１上に設置する。
【００１９】
次に、図２に示すように側壁３の一部の上にコンクリートを打設し、６段目（＃６）の側壁を形成する。なお、このような側壁３の施工にあたっては、その上部側を順次形成するに伴い、懸垂足場５についても順次上側に組み上げていくとともに、不要となった下側については順次撤去していく。
【００２０】
また、これに並行して脚付架台６上に、内槽の側壁の一部となる内槽側板７を側壁３の周方向に沿って複数立設し、これら内槽側板７を隣り合うもの同士横方向に一体的に溶接する。これにより、各内槽側板７を円環状に組み立てる。なお、ここで組み立てる内槽側板７は、内槽の最上段（本実施形態では９段目［＃９］）に対応するものである。内槽側板７は、優れた靱性と強度を備えるＮｉ鋼材等によって形成されている。
また、側壁３の内部では、基礎版１の中央部にて屋根架台８を組み立てる。
【００２１】
次に、図３に示すように最上段の内槽側板７の上端部にナックルプレート９（ナックル部）の各プレートを取り付け、これによってナックルプレート９を組み立てるとともにこれを内槽側板７の上端部に取り付ける。ナックルプレート９は、後述する内槽屋根の外周縁部にて下方に向けて湾曲するように形成されるものであり、前述したようにその下端縁部に最上段の内槽側板７の上端縁部が接続される。
【００２２】
このナックルプレート９には、図４〜図６に示すようにその外周面に、ナックルサポート１０とスペースキーパー１１とゴンドラレール１３とをそれぞれ取り付ける。本実施形態では、図６に示すようにナックルプレート９の周方向に沿ってナックルサポート１０を等間隔で複数個（例えば３０個）設け、これらの間にそれぞれスペースキーパー１１を１個ずつ設けている。また、図４に示すようにナックルサポート１０に下端部に、取付部材３０を介してゴンドラレール１３を取り付ける。なお、図６中において符号１２は後述する外槽屋根の屋根骨であり、特にナックルサポート１０は、放射状に配置された隣り合う屋根骨１２、１２間に位置するように、ナックルプレート９に取り付ける。
【００２３】
ナックルサポート１０は、後述するジャッキアップ装置に連結する被吊り部材となる鋼板製のもので、図４、図５に示すように側面視略三角形状に形成された一対のサポート板１０ａ、１０ａと、これらサポート板１０ａ、１０ａ間に挟持された平面視略正方形状の被吊り板１０ｂと、サポート板１０ａ、１０ａ間に挟持され、かつ被吊り板１０ｂの上面側に連結してサポート板１０ａ、１０ａと被吊り板１０ｂとの間を補強する補強板１０ｃとによって形成されている。
【００２４】
サポート板１０ａ、１０ａは、図４に示すようにナックルプレート９の湾曲形状に対応して湾曲して形成された一辺部が、ナックルプレート９の湾曲面に接合され、溶接等によって取り付け固定されている。被吊り板１０ｂと補強板１０ｃとは、溶接等によって互いに連結した状態で、図５に示すようにサポート板１０ａ、１０ａ間に溶接やボルト止め等によって取り付け固定されている。ここで、被吊り板１０ｂは、その外側端（側壁３側の端部）がサポート板１０ａ、１０ａの外側端に一致した状態で、サポート板１０ａ、１０ａ間に固定されている。この被吊り板１０ｂには、ナックルプレート９と反対の側、すなわち外槽の側壁３側に向かって開口する切欠１０ｄが形成されている。この切欠１０ｄは、後述するジャッキアップ装置に連結する被吊り点となる。
【００２５】
スペースキーパー１１は、図４、図５に示すようにナックルプレート９の外周面に外側に突出して設けられたもので、図６に示したようにナックルプレート９の周方向に沿って等間隔で設けられたナックルサポート１０のそれぞれの間に配設されている。これらスペースキーパー１１は、隣り合うナックルサポート１０、１０間のほぼ中央部に配設されており、これによってスペースキーパー１１も、ナックルプレート９の周方向に沿って等間隔で設けられている。したがって、スペースキーパー１１とナックルサポート１０とは、ナックルプレート９の周方向に沿って互いに等間隔で交互に配置されたものとなっている。
【００２６】
このようなスペースキーパー１１は、図４、図５に示すように例えばナックルプレート９に前記サポート板１０ａと同様にして取り付けられた一対の鋼板（図示せず）と、これら鋼板間に挟持されたＨ鋼１１ａと、このＨ鋼１１ａの外端面に貼設された鋼板１１ｂとによって形成されている。そして、このスペースキーパー１１は、本実施形態ではその外側端が前記被吊り板１０ｂの外側端より外側（外槽の側壁３側）に延び出させて形成配置する。
【００２７】
すなわち、ナックルプレート９の中心から該スペースキーパー１１の外側端までの距離が、ナックルプレート９の中心から被吊り板１０ｂの外側端までの距離より長くなるようにスペースキーパー１１を形成配置する。このように形成配置することで、スペースキーパー１１によって外槽の側壁３とナックルプレート９との間の実質的なクリアランスを小さくすることができる。したがって、後述するジャッキアップ装置によってナックルプレート９を吊り上げた際、地震等の影響によってナックルプレート９が水平方向に変位しても、変位量を小さくしてスペースキーパー１１が外槽の側壁３に衝突した際の衝撃を緩和することができる。
【００２８】
ゴンドラレール１３は、図４に示したようにナックルサポート１０の一対のサポート板１０ａ、１０ａの下端部間に、取付部材３０を介して取り付けたもので、図６に示すように外槽の側壁３の周方向に沿ってリング状に形成される。取付部材３０は、例えば鋼板やＨ鋼、チャネル材等からなるもので、サポート板１０ａ、１０ａに溶接やボルト止め等によって取り付け、固定される。
【００２９】
なお、ゴンドラレール１３には、取付部材３０とは別に、図５に示すようにレールサポート３１を設ける。レールサポート３１は、ゴンドラレール１３の周方向において、ナックルサポート１０に取り付けられた取付部材３０とは異なる箇所、すなわち屋根骨１２に対応する箇所に設けられる。これにより、後述するようにナックルサポート１０をナックルプレート９から外し、ジャッキアップ装置によってゴンドラレール１３を吊り上げた際に、レールサポート３１を用いてゴンドラレール１３を屋根骨１２に取り付けることができる。このレールサポート３１も、取付部材３０と同様に、鋼板やＨ鋼、チャネル材等からなるもので、図３に示した工程では単にゴンドラレール１３の上側に取り付け、固定しておく。
【００３０】
また、ゴンドラレール１３には、図４に示すように走行装置３２と巻き揚げ装置３３とを懸架しておく。走行装置３２は、ゴンドラレール１３の下端部に懸けられた一対のローラ部（図示せず）と、これらローラ部を回転駆動させるモータ部（図示せず）とを備えた公知のものである。また、巻き揚げ装置３３は、走行装置３２のローラ部に保持部材（図示せず）を介して取り付けられたドラム３３ａと、このドラム３３ａにワイヤロープを介して取り付けられたフック３３ｂとを備えた公知のものである。
【００３１】
このような走行装置３２と巻き揚げ装置３３とをゴンドラレール１３に懸架させておくことにより、後工程において、内槽側板７間の溶接線等についての検査やその補修のため、ゴンドラレール１３に検査用スカイゴンドラを移動可能に懸垂させることが可能になる。また、外槽の側壁３を形成した後、その内周面に貼設するための側部ライナーを懸垂させ、引き上げることが可能なる。さらに、外槽の側壁３に側部ライナーを貼設した後、この側部ライナーに冷熱抵抗緩和材を吹き付けるための、冷熱抵抗緩和材施工用のスカイゴンドラを移動可能に懸垂させることが可能になる。
【００３２】
次に、図７に示すように屋根架台８上に内槽屋根ブロックを搭載し、内槽屋根（タンク屋根部）１４を組み立てる。
また、基礎版１上に高所作業車（図示せず）を乗り入れる。また、脚付架台６の下のアニュラー領域Ｘにおいてアニュラー部１６を形成すべく、その一部を施工する。
また、外槽の側壁３についても順次上側に積み上げていき、図７に示すように外槽の側壁３を最終段となる９段目（＃９）まで施工する。なお、この時点では、側壁３形成のための懸垂足場５が、例えば６段目から７段目以上に組まれた状態のまま残っている。
【００３３】
次に、図８に示すように前記ナックルプレート９上に、外槽の側壁３の内周面から離間した状態で、かつ、前記懸垂足場５に干渉しない高さで、ジャッキアップ装置用足場１７を組み立てる。このジャッキアップ装置用足場１７としては、環状に形成されているナックルプレート９の周方向に沿って環状に形成し、これによって半径方向への倒れを防止する。また、その組み立てにあたっては、前記ナックルサポート１０にほぼ全体を支持させ、さらに倒れ防止材（図示せず）をナックルプレート９や内槽屋根１４との間に設けることで、ナックルプレート９や内槽屋根１４に固定した状態にジャッキアップ装置用足場１７を形成する。本実施形態では、図８に示すように外槽の側壁３のほぼ４段目（＃４）から５段目（＃５）に対応して、ジャッキアップ装置用足場１７を組み立てる。
【００３４】
そして、このジャッキアップ装置用足場１７を利用して側壁３の所定位置、本実施形態では５段目（＃５）に、吊り架台１８（吊り部）を側壁３の周方向に等間隔となるように複数設置する。すなわち、この吊り架台１８を例えば側壁３に予め埋め込んだアンカープレート等に強固かつ着脱可能に締結固定し、側壁３からその内方に向けて略水平に凸設する。
【００３５】
次に、吊り架台１８とナックルサポート１０の被吊り板１０ｂとの間に、それぞれジャッキアップ装置１９を取り付ける。ジャッキアップ装置１９は、図９に示すようにセンターホールジャッキとして構成されたもので、吊り架台１８に係合され支持されるジャッキ本体２０ａと、ジャッキ本体２０ａに上端部が取り付けられ、下端部がナックルサポート１０の被吊り板１０ｂに取り付けられたジャッキアップロッド２０と、ジャッキアップロッド２０の下端部を被吊り板１０ｂに取り付けられるためのナット１９ａと、を有して構成される。なお、図９では、見やすくするためにジャッキアップ装置用足場１７の記載を省略している。
【００３６】
このようなジャッキアップ装置１９の取り付けは、吊り架台１８の上にジャッキ本体２０ａを係合させ固定した状態でジャッキアップロッド２０を垂下させ、さらにこのジャッキアップロッド２０の下端部をナックルサポート１０の被吊り板１０ｂの前記切欠１０ｄ内に差し入れる。そして、予め用意したナット１９ａによってジャッキアップロッド２０の下端部を被吊り板１０ｂに固定する。
【００３７】
このようにしてジャッキアップ装置１９を、外槽の側壁３の周方向に所定間隔で複数設置し、さらにそれぞれナックルサポート１０の被吊り板１０ｂに取り付けたら、図８に示すように屋根架台８を撤去する。屋根架台８を撤去すると、前記タンク構成部材の重量が複数のジャッキアップ装置１９によって保持された状態となる。
【００３８】
ここで、図８に示すように吊り架台１８が設けられた位置は側壁３の５段目（＃５）であり、ナックルサポート１０が設けられた位置は側壁３の３段目（＃３）に対向する位置であるため、前記ジャッキアップロッド２０はこれらの間に対応する充分な長さに形成されている。しかし、このような長さに形成されたジャッキアップロッド２０は、後述するようにジャッキアップ装置１９を稼働させてジャッキアップロッド２０を上昇させた際、このジャッキアップロッド２０がその直上に位置する懸垂足場５に干渉されてしまう。
【００３９】
そこで、ジャッキアップロッド２０は、図９に示すように複数のロッド２０ｂが長さ方向に連結して形成されており、これらは螺子止め等によって着脱可能に構成されている。これにより、ジャッキアップロッド２０を上昇させた際、吊り架台１８より上方に突出したロッド２０ｂをその下側のロッド２０ｂから切り離すことにより、ジャッキアップロッド２０が懸垂足場５に干渉されるのを防止することができる。なお、図８中の符号２１は、前記ジャッキアップ装置１９の各構成部材の吊り上げや吊り下げを行ったり、切り離したロッド２０ｂを吊り下げたりするためのふり天秤であり、天秤棒２１ａの一方の端部に錘２１ｂを有して構成された公知のものである。このふり天秤２１は、図示しないクレーンによって吊られており、これによって昇降や水平移動の各動作が制御されるようになっている。
【００４０】
また、このような工程中、基礎版１上では、前記アニュラー部１６の保冷工事及び中央部の保冷工事を並行して行う。アニュラー部１６の保冷工事は、図９に示すように脚付架台６の下で、底部冷熱抵抗緩和材２２の上にパーライトコンクリートブロック２３ａ、２３ｂ、構造用軽量コンクリートブロック２４を組み立て、その上にアニュラープレート１６ａを取り付けることによって行う。アニュラー部１６は、組み立てられた内槽側板７を最終的に支持するものであり、アニュラープレート１６ａが厚く形成され、またその保冷構造もコンクリートブロック等の硬質なもので形成される。
【００４１】
次に、図１０に示すようにジャッキアップ装置１９でナックルプレート９を吊り上げることにより、このナックルプレート９とこれに支持される内槽屋根１４、内槽側板７、ナックルサポート１０、スペースキーパー１１、ジャッキアップ装置用足場１７を含むタンク構成部材Ｙを上昇させる。具体的には、ジャッキ本体２０ａを正転駆動させることによってジャッキアップロッド２０上昇させ、ナックルサポート１０とともに組み立て途中のタンク構成部材Ｙをジャッキアップする。
【００４２】
ここで、ジャッキアップ装置１９によって吊り上げられるナックルプレート９は、内槽屋根１４と内槽側板７とを接続するためのもので、内槽側板７より板厚が充分に厚く、強度が高いため、内槽側板７や内槽屋根１４、さらにジャッキアップ装置用足場１７を含む重量が付加されても座屈等の懸念がない。すなわち、下段側の内槽側板７はタンク完成後における内容液の比較的大きな液圧に対応して板厚が厚く形成されているが、上段側（特に最上段）の内槽側板７は内溶液の比較的小さな液圧に対応して板厚が薄く形成されているからである。このように、内槽側板７の座屈の懸念が無いことで、内槽側板７の最適設計による軽量化及びコストダウンが可能になる。
【００４３】
ジャッキアップ装置１９によってタンク構成部材Ｙを内槽側板７のほぼ一段分上昇させたら、内槽側板７の下方に形成された空間に次の内槽側板７を搬入する。内槽側板７の搬入は、側壁３に設けられた工事口４を介して行う。工事口４周辺には第１搬送装置（図示せず）が設けられており、この搬送装置によって側壁３の外から工事口４を通って脚付架台６上に内槽側板７が順次搬送される。また、脚付架台６上には、側壁３の周方向に沿って第２搬送装置（図示せず）が設けられている。この第２搬送装置は、側壁３の周方向に沿うレール（図示せず）等を有して構成されたもので、脚付架台６上に搬送されてきた内槽側板７を、さらに側壁３の周方向に順次搬送するものである。
【００４４】
次に、第２搬送装置で搬送されてきた内槽側板７を脚付架台６上に立設し、ジャッキアップされた内槽側板７の下方に円環状に配置する。そして、図１１に示すようにこれら内槽側板７を隣り合うもの同士横方向に一体的に溶接するとともに、上下に並ぶ内槽側板７同士も一体的に溶接することで、これら内槽側板７を一体の円筒形状に形成する。すなわち、最上段となる９段目（＃９）の内槽側板７の下に８段目（＃８）の内槽側板７を取り付ける。
【００４５】
なお、複数の内槽側板７同士を外槽の側壁３の外で予め横方向に連結し、これを側壁３内に取り込んで環状に形成した後、上下に並ぶ内槽側板７同士を溶接するようにしてもよい。このように複数の内槽側板７同士を作業空間の制限の少ない側壁３の外で行うことにより、溶接作業が容易になり、効率よく内槽を組み立てることができる。
【００４６】
このようにしてジャッキアップを行うと、ジャッキアップ装置１９は図１１に示したようにそのジャッキアップロッド２０の上端が吊り架台１８より上方に突出し、それ以上上昇するとその直上に位置する懸垂足場５に干渉されてしまう。そこで、前記した内槽側板７同士の溶接等を行っている間に、ジャッキアップロッド２０を構成する複数のロッド２０ｂの、吊り架台１８より上方に突出した部分をその下側から取り外す。そして、予めジャッキアップ装置用足場１７の頂部に設置したダビット（図示せず）を介して、図８に示したふり天秤２１によって内槽屋根１４上に降ろしておく。ロッド２０ｂの取り外しは、ジャッキアップ装置用足場１７を利用して行う。また、ジャッキアップ装置用足場１７についても、懸垂足場５に干渉されないよう、ふり天秤２１によってその上部側を順次撤去する。
【００４７】
次に、ジャッキアップ装置１９によりタンク構成部材Ｙを内槽側板７のほぼ一段分上昇させ、内槽側板７の下方に形成された空間にさらに次の内槽側板７を搬入し、以下、前述した８段目（＃８）の内槽側板７の場合と同様にして、図１２に示すように７段目（＃７）の内槽側板７を取り付ける。その際にも、吊り架台１８より上方に突出したロッド２０ｂを取り外し、ふり天秤２１によって内槽屋根１４上に降ろしておく。
【００４８】
このようにして９段目（＃９）から７段目（＃７）までの内槽側板７を取り付けたら、図１３に示すように側壁３の内周面側の懸垂足場５を撤去する。すなわち、ここまでの間に充分な時間が経過していることから、外槽の側壁３は最上段となる９段目（＃９）まで完成しており、したがって型枠等を取り外すことが可能なため、側壁３の内周面側を撤去することができる。なお、側壁３の外周面側については、後工程で必要となるため撤去せずにそのまま残しておく。
【００４９】
次に、ジャッキアップ装置１９の盛り替えを行うべく、図１３に示すように外槽の側壁３の頂部に第２の吊り架台２５を設置する。また、ジャッキダウンして一旦タンク構成部材Ｙ（８段目や７段目の内槽側板７も含む）を脚付架台６上に降ろす。
続いて、図９に示したジャッキアップ装置１９のジャッキアップロッド２０を、ふり天秤２１やクレーン等を利用して一旦ナックルサポート１０の被吊り板１０ｂから取り外す。また、ジャッキアップ装置１９のジャッキ本体２０ａを吊り架台１８から取り外す。これにより、ジャッキアップ装置１９を外槽の側壁３とナックルプレート９との間から取り外す。さらに、吊り架台１８を側壁３から取り外す。
【００５０】
そして、ジャッキアップ装置１９のジャッキ本体２０ａを図１３に示した第２の吊り架台２５に取り付ける。また、その際にジャッキアップロッド２０については、先に懸垂足場５に干渉されないようにその上部側を取り外し、内槽屋根１４上に降ろしておいたが、側壁３の内周面側の懸垂足場５を撤去してジャッキアップロッド２０を自由に伸ばせるようにしたので、内槽屋根１４上に降ろしておいたロッド２０ｂを再度ジャッキアップロッド２０に取り付け、ジャッキアップロッド２０を長くしておく。本実施形態では、図１３に示すように外槽の側壁３の最上段となる９段目（＃９）から５段目（＃５）まで垂下させるため、予め別に用意した予備のロッド２０ｂを付け足し、ジャッキアップロッド２０を所望の長さに調整する。
【００５１】
このようにしてジャッキアップロッド２０を所望の長さに調整したら、その下端側を再度ナックルサポート１０の被吊り板１０ｂの前記切欠１０ｄ内に差し入れる。そして、ナット１９ａによってジャッキアップロッド２０の下端部を被吊り板１０ｂに固定する。これにより、ジャッキアップ装置１９を盛り替えることができる。このようにしてジャッキアップ装置１９の盛り替えを終了したら、図１３に示すようにジャッキアップ装置用足場１７を撤去する。
【００５２】
次に、図１４に示すようにジャッキアップ装置１９でナックルプレート９を吊り上げ、タンク構成部材Ｙを内槽側板７のほぼ一段分上昇させる。
続いて、内槽側板７の下方に形成された空間にさらに次の内槽側板７を搬入し、以下、前述した８段目（＃８）、７段目（＃７）の内槽側板７の場合と同様にして、図１５に示すように６段目（＃６）の内槽側板７を取り付ける。
【００５３】
次に、内槽屋根１４の上に外槽屋根２６を取り付ける。外槽屋根２６としては、この工程では図６に示したように屋根骨１２を外槽屋根２６の中心部から放射状に延ばして配置するとともに、これら放射状に配置した屋根骨１２間をリング状の部材（図示せず）で保持固定することで形成する。このような外槽屋根２６を取り付けは、内槽屋根１４上に多数のチャネル鋼等からなる連結材（図示せず）を取り付け、これら連結材に外槽屋根２６を取り付けることで行う。その際、図５に示したように前記屋根骨１２、１２間にナックルサポート１０が位置するように屋根骨１２を組み、これによってナックルサポート１０に連結するジャッキアップ装置１９を屋根骨１２、１２間に位置させる。これにより、ジャッキアップ装置１９は外槽屋根２６に干渉されることなく配置され、その状態で動作するようになる。
【００５４】
また、外槽の側壁３の内周面に対して、側部ライナー（図示せず）を貼設する作業を開始する。すなわち、図４に示したゴンドラレール１３に懸架された走行装置３２、巻き揚げ装置３３を用い、側部ライナーを基礎版１側から適宜吊り上げ、この側部ライナーを外槽の側壁３の内周面に対して順次貼設する。
なお、このような側部ライナーの吊り上げ用とは別に、ゴンドラレール１３には検査用スカイゴンドラを懸垂させておく。そして、内槽側板７間の溶接による取り付けを行ったら、側部ライナーの貼設とは別に、検査用スカイゴンドラを用いて内槽側板７間の溶接線等について、その検査や補修を行う。
【００５５】
以下、ジャッキアップ装置１９によるタンク構成部材Ｙの上昇、内槽側板７（タンク構成部材Ｙ）の下方への次の内槽側板７の搬入、搬入した内槽側板７のタンク構成部材Ｙ（内槽側板７）への取り付けを順次繰り返し、図１６に示すように内槽側板７を最下段の１段目（＃１）まで取り付ける。これにより、内槽の側壁が完成する。
なお、このような各段の内槽側板７の取り付けの際に、すなわちタンク構成部材Ｙを吊り上げてその下方を空間としている間に、内槽側板７の搬入とは別に各種の資材２７を側壁３内の基礎版１上に搬入する。また、外槽屋根２６の上には作業足場２８を組んでおく。さらに、外槽の側壁３の内周面への側部ライナーの貼設や、内槽側板７間の溶接線等についての検査や補修を引き続き行い、これらを完了させる。
【００５６】
次に、図１７に示すように脚付架台６を撤去し、これによってタンク構成部材Ｙの下方を空間にする。そして、ジャッキアップ装置１９によってタンク構成部材Ｙをジャッキダウンし、図１８に示すように外槽屋根２６の屋根骨１２の外周端を外槽の側壁３の頂部内周面に埋設した取付端２９に連結し固定する。
続いて、外槽屋根２６と内槽屋根１４との間を連結する連結材（図示せず）を除去し、これらの間の連結を解除する。これにより、外槽屋根２６は外槽の側壁３の前記取付端２９に保持され、内槽屋根１４以下のタンク構成部材Ｙはジャッキアップ装置１９に保持される。
【００５７】
次に、図１７に示すようにジャッキアップ装置１９によって内槽屋根１４以下のタンク構成部材Ｙを再度ジャッキダウンし、内槽側板７の最下段の下端部をアニュラー部１６上に降ろす。そして、内槽側板７の最下段の下端部を基礎版１に設置された内槽アンカーストラップ２に取り付ける。
【００５８】
次に、図１９に示すようにゴンドラレール１３から走行装置３２や巻き揚げ装置３３を取り外す。続いて、ナックルサポート１０をそのナックルプレート９側で切断することにより、ナックルプレート９からナックルサポート１０を取り外して除去する。そして、ジャッキアップ装置１９によってナックルサポート１０を吊り上げ、これによってゴンドラレール１３を取付部材３０やレールサポート３１とともに上昇させる。
【００５９】
さらに、ジャッキアップ装置１９によるナックルサポート１０の吊り上げとこれによるゴンドラレール１３の上昇を続ける。そして、図２０に示すようにゴンドラレール１３を所定高さまで上昇させたら、これに取り付けたレールサポート３１を図６に示したように外槽屋根２６の屋根骨１２に取り付け、固定する。これにより、ゴンドラレール１３の盛り替えを行うことができる。屋根骨１２へのレールサポート３１の取り付けは、溶接やボルト止めなどによって行う。
【００６０】
このようにしてゴンドラレール１３の盛り替えを行ったら、このゴンドラレール１３に再度走行装置３２や巻き揚げ装置３３を取り付け、さらに巻き揚げ装置３３にスカイゴンドラを懸垂させる。
次に、外槽の側壁３の緊張工事を行う。また、側部ライナーの貼設を完了した外槽の側壁３の内周面に対して、前記スカイゴンドラを利用して側部ライナーに冷熱抵抗緩和材であるポリウレタンフォーム（ＰＵＦ）を吹きつける。なお、外槽の側壁３内周面の最上端部については、前記のスカイゴンドラの高さがとどかず、したがってこのスカイゴンドラを利用して冷熱抵抗緩和材の吹きつけを行うことができない箇所が生じる可能性がある。その場合、このような箇所については、ジャッキアップ装置１９や第２の吊り架台２５等も撤去した後、別途クレーン等を用いて、冷熱抵抗緩和材の吹きつけを行うようにする。
【００６１】
その後、図２１に示すようにジャッキアップ装置１９、第２の吊り架台２５等を撤去する。そして、工事口４の閉鎖、不図示のポンプバレルの設置を経た後、水張りをして耐圧・気密試験を実施する。
最後に、内槽と外槽との間にパーライト等の保冷材（図示せず）を充填して内外槽間保冷工事を行い、さらに、塗装工事、配管保冷工事を経て円筒型タンク１００を構築する。
【００６２】
このような構成の円筒型タンク１００を構築するに際して、特にナックルサポート１０にゴンドラレール１３を取り付けているので、このナックルサポート１０を上昇させることによってゴンドラレール１３も上昇させることができる。したがって、このゴンドラレール１３に検査用スカイゴンドラや側部ライナーを懸垂させることにより、内槽の組み立て工程中にこれと並行して内槽側板７の溶接線の検査やその補修を行うことができ、また、外槽の側壁３に対する側部ライナーの貼設も行うことができる。
【００６３】
また、外槽屋根２６を外槽の側壁３の取付端２９に固定した後、ナックルサポート１０をナックルプレート９から外して該ナックルサポート１０をジャッキアップ装置１９で吊り上げ、該ナックルサポート１０に取り付けられたゴンドラレール１３を上昇させて該ゴンドラレール１３を外槽屋根２６の屋根骨１２に取り付けるようにしたので、ゴンドラレール１３の高さを引き上げることでこれを冷熱抵抗緩和材施工用のゴンドラレールとして機能させることができる。
【００６４】
したがって、本実施形態の円筒型タンクの構築方法によれば、用途が異なり、そのため異なる高さに設置する必要があるゴンドラレール１３を、内槽の組み立てに用いるジャッキアップ装置１９によって盛り替えることにより、それぞれの高さに設置することができる。よって、このようなゴンドラレール１３の盛り替えを短時間でかつ低コストで行うことができるため、工期の短縮化、及びコストの低減化を可能にすることができる。
【００６５】
また、内槽屋根１４上に外槽屋根２６を取り付ける工程では、屋根骨１２を組むことで外槽屋根２６を形成するとともに、屋根骨１２、１２間にナックルサポート１０を位置させ、これによって屋根骨１２、１２間にジャッキアップ装置１９を位置させるようにしたので、特にゴンドラレール１３を盛り替えるべく、ジャッキアップ装置１９によってナックルサポート１０を吊り上げ、ゴンドラレール１３の上昇させた際、外槽屋根２６に干渉されることなく、その屋根骨１２、１２間を通過させてナックルサポート１０を外槽屋根２６上に吊り上げることができる。したがって、ナックルサポート１０の下端部に取り付けたゴンドラレール１３を屋根骨１２に容易に取り付けることができる。
【００６６】
また、外槽の側壁３を最頂部まで形成した後に、該側壁３の内周面に対して側部ライナーを貼設する、ライナー後貼り工法を採用しているので、ライナー懸垂用のゴンドラレールが必要になる。そこで、本実施形態ではナックルサポート１０の下端部にゴンドラレール１３を取り付けているので、このゴンドラレール１３を内槽側板７の溶接線の検査やその補修を行うためのスカイゴンドラ懸垂用としてだけでなく、ライナー懸垂用としても機能させることができる。
【００６７】
また、ナックルプレート９を組み立てる工程では、予め組み立てた内槽側板７の上側に前記ナックルプレート９を取り付けて組み立てるので、高さ方向に湾曲しているナックルプレート９を最初に円環状に組み立てるより、高さ方向では湾曲していない内槽側板７を円環状に組み立てる方が円環形状をより容易に組み立て易く、したがってナックルプレート９の円環状の組み立てを容易にすることができる。
【００６８】
また、ナックルプレート９の下側に内槽側板７を取り付けて金属製の内槽を組み立てる工程では、吊り架台１８にジャッキアップ装置１９を吊してタンク構成部材Ｙをジャッキアップする処理と、吊り架台１８より上方に第２の吊り架台２５を設けてジャッキアップ装置１９を盛り替え、その状態でタンク構成部材Ｙをジャッキアップする処理とを有しているが、ナックルサポート１０の下端部にゴンドラレール１３を取り付けているので、ジャッキアップ装置１９を盛り替えに対応してゴンドラレール１３の高さも変化させることができ、したがってゴンドラレール１３を用いた作業を支障なく行うことができる。
【００６９】
また、特にジャッキアップ装置１９によってタンク構成部材Ｙをジャッキアップさせている間、もしくは懸垂させている間に地震や強風等が起こると、内槽屋根１４や外槽屋根２６が外槽内で水平方向に大きく変位する可能性があるが、ナックルサポート１０、１０間にこれより外側（外槽の側壁３側）に延出するスペースキーパー１１を設けているので、これらスペースキーパー１１によって外槽の側壁３とナックルプレート９との間の実質的なクリアランスを小さくすることができる。したがって、地震等の影響によってナックルプレート９が水平方向に変位しても、その変位量を小さくすることができ、これによってスペースキーパー１１が外槽の側壁３に衝突した際の衝撃を緩和し、外槽の側壁３の損傷を防止することができる。また、ジャッキアップ装置１９と被吊り板１０ｂとの間が損傷することも確実に防止することができる。
【００７０】
以上、図面を参照しながら本発明の好適な実施形態について説明したが、本発明は前記実施形態に限定されるものではない。前述した実施形態において示した各構成部材の諸形状や組み合わせ等は一例であって、本発明の主旨から逸脱しない範囲において設計要求等に基づき種々変更可能である。
【００７１】
例えば、前記実施形態では外槽の側壁３を途中まで形成した後、ナックルプレート９を介してジャッキアップ装置１９で内槽側板７を吊り上げ、その下側に別の内槽側板７を順次取り付けて内槽を形成する円筒型タンクの構築方法に本発明を適用したが、他にも、以下のような工程を有する円筒型タンクの構築方法に、本発明を適用することもできる。
すなわち、外槽の底部上で該外槽の側壁を最下段のものから最上段のものへと順々に組み上げる間に、前記底部よりも上方であって、前記内槽と前記外槽との内外槽間において、架台を前記外槽の側壁に設けてジャッキアップ装置を支持させる工程と、前記底部上で内槽屋根と外槽屋根とを一体的に組立て、前記内槽屋根に内槽側板を最上段のものから最下段のものへと順々に取り付けながら、該取り付けられた内槽側板を前記ジャッキアップ装置によって順々に上昇させる工程と、を有する円筒型タンクの構築方法にも、本発明を適用することもできる。
【００７２】
すなわち、このような構築方法では、外槽の側壁の施工の際に側部ライナーを形成し、この側部ライナーを外槽の側壁形成用の型枠として用いるが、その場合にも内槽側板間の溶接線等についての検査やその補修のために検査用スカイゴンドラ懸垂用のゴンドラレールが必要となり、また、冷熱抵抗緩和材施工用のゴンドラを懸垂させるためのゴンドラレールが必要となるため、本発明が有効となる。
【符号の説明】
【００７３】
３…外槽の側壁、７…内槽側板、９…ナックルプレート（ナックル部）、１０…ナックルサポート（被吊り部材）、１２…屋根骨、１３…ガイドレール、１４…内槽屋根、１８  吊り架台（吊り部）、１９…ジャッキアップ装置、２５…第２の吊り架台（第２の吊り部）、２６…外槽屋根
【図１】
2015010360.tif 000003
【図２】
2015010360.tif 000004
【図３】
2015010360.tif 000005
【図４】
2015010360.tif 000006
【図５】
2015010360.tif 000007
【図６】
2015010360.tif 000008
【図７】
2015010360.tif 000009
【図８】
2015010360.tif 000010
【図９】
2015010360.tif 000011
【図１０】
2015010360.tif 000012
【図１１】
2015010360.tif 000013
【図１２】
2015010360.tif 000014
【図１３】
2015010360.tif 000015
【図１４】
2015010360.tif 000016
【図１５】
2015010360.tif 000017
【図１６】
2015010360.tif 000018
【図１７】
2015010360.tif 000019
【図１８】
2015010360.tif 000020
【図１９】
2015010360.tif 000021
【図２０】
2015010360.tif 000022
【図２１】
2015010360.tif 000023